(57)【要約】【課題】地震報知の精度を向上させるとともに、地震メッセージの選択度を向上させ、初期微動を検知して地震メッセージを報知中に主要動が生じ、通話線が断線しても、地震メッセージを報知させ続けることができる緊急地震速報対応型集合住宅管理システムを提供する。【解決手段】集合住宅の管理室などに設置される警報監視盤１と、集合住宅の各住戸に設置される住宅情報端末２と、を備えて構成された、緊急地震速報対応型集合住宅管理システムであって、警報監視盤１は、通信ネットワークＮを通じて送信されてくる緊急地震速報に基づいた地震検知信号を受信したときには、地震警報指令信号を各住戸の住宅情報端末２に送信する地震警報指令信号送信手段１Ａを備えており、各住戸の住宅情報端末２は、所定の地震メッセージを記憶した記憶手段２Ａと、警報監視盤１から地震警報指令信号を受信したときには、所定の地震メッセージを読み出して報知する報知手段２Ｂとを備える。【選択図】図１
2008217435.tif 000002
【特許請求の範囲】
【請求項１】
集合住宅の管理室などに設置される警報監視盤と、集合住宅の各住戸に設置される住宅情報端末と、を備えて構成された、緊急地震速報対応型集合住宅管理システムであって、
前記警報監視盤は、通信ネットワークを通じて送信されてくる緊急地震速報に基づいた地震検知信号を受信したときには、地震警報指令信号を前記各住戸の住宅情報端末に送信する地震警報指令信号送信手段を備えており、
前記各住戸の住宅情報端末は、所定の地震メッセージを記憶した記憶手段と、前記警報監視盤から前記地震警報指令信号を受信したときには、前記所定の地震メッセージを読み出して報知する報知手段とを備えていることを特徴とする、緊急地震速報対応型集合住宅管理システム。
【請求項２】
請求項１において、
前記住宅情報端末は、複数種類の地震メッセージを前記記憶手段に記憶させており、前記報知手段から出力すべき地震メッセージの種類を選択する選択手段を備えていることを特徴とする、緊急地震速報対応型集合住宅管理システム。
【請求項３】
請求項１において、
前記住宅情報端末は、所定の地震警報画像を前記記憶手段に記憶させており、
前記警報監視盤から前記地震警報指令信号を受信したときには、前記所定の地震警報画像を読み出して表示させる表示手段を更に備えていることを特徴とする、緊急地震速報対応型集合住宅管理システム。
【請求項４】
請求項１において、
前記各住戸の住宅情報端末は、副住宅情報端末とドアホン子器とに接続されており、
前記警報監視盤から前記地震警報指令信号を受信したときには、前記副住宅情報端末と前記ドアホン子器の少なくとも一方との通話回路を形成して、前記所定の地震メッセージを送信して、報知させるようにしていることを特徴とする、緊急地震速報対応型集合住宅管理システム。
【請求項５】
請求項４において、
前記副住宅情報端末は、所定の地震メッセージを記憶した記憶手段を備えており、
前記住宅情報端末から前記地震警報指令信号を受信したときには、前記記憶手段に記憶した地震メッセージを報知させるようにしていることを特徴とする、緊急地震速報対応型集合住宅管理システム。
【請求項６】
請求項１〜５のいずれかにおいて、
前記警報監視盤は、前記地震警報指令信号を自発的に送信するための地震警報試験スイッチを備えており、
前記地震警報指令信号送信手段は、前記地震警報試験スイッチが操作されたときには、前記地震警報指令信号を送信することを特徴とする、緊急地震速報対応型集合住宅管理システム。
【発明の詳細な説明】
【技術分野】
【０００１】
本発明は、管理室などに設置した警報監視盤と、各住戸に設置した住宅情報端末とを組み合わせて構成される緊急地震速報対応型集合住宅管理システムであって、地震報知の精度を向上させるとともに、地震メッセージの選択度を向上させ、初期微動を検知して地震メッセージを報知中に主要動が生じ、通話線が断線しても、地震メッセージを報知させ続けることができる緊急地震速報対応型集合住宅管理システムに関する。
【背景技術】
【０００２】
近時、特許文献１に示すような集合住宅管理システムが普及してきている。この種の集合住宅管理システムは、各住戸に設置された地震センサが初期微動を検知したときには、その住戸に設置された住宅情報端末が警報監視盤に地震検知信号を送信し、警報監視盤が、一定個数の地震検知信号を受信したときには、全住戸の住宅情報端末に地震メッセージを送信して報知させて、火元の確認、避難経路の確認などをさせるべく、続けて発生する主要動の発生に備えさせるように構成されている。
【特許文献１】特開２００３−６７８６６号公報
【発明の開示】
【発明が解決しようとする課題】
【０００３】
しかしながら、上記した従来の集合住宅管理システムでは、警報監視盤と、全住戸の住宅情報端末との間で通話線を通じた通話回路を形成し、地震メッセージを送信して報知させているため、各住戸毎に異なる地震メッセージを送信することができないため、日本語の地震メッセージを報知する態様では、外国人に対応させて外国語の地震メッセージを報知できず、日本語の理解できない外国人にとっては不都合があった。各住戸毎に順次通話回線を形成して、住戸別に異なる地震メッセージを送信する方法も考えられるが、初期微動の検知をしてから主要動が生じるまでの短時間の間に行うことは、住人の安全確保上行うことが困難であった。
【０００４】
また、全住宅情報端末との通話回路を形成して地震メッセージを送信するため、通話路が塞がってしまい、住人が誰かに連絡を取るといったことが困難であった。
【０００５】
更に、初期微動を検知してから主要動が生じた場合、通話線が断線すると、その後は住宅情報端末から地震メッセージを報知させることができないといった不都合もあった。
【０００６】
更に、住宅情報端末に地震センサを設けているため、住宅情報端末に衝撃が加わるなどして誤報を発生する可能性もあった。
【０００７】
本発明は、上記事情を考慮して提案されるものであり、第１の目的は、地震メッセージの選択度を向上させ、初期微動を検知して地震メッセージを報知中に主要動が生じ、通話線が断線しても、地震メッセージを報知させ続けることができるようにすることにある。
【０００８】
また、第２の目的は、地震報知の精度を向上させて、誤報の可能性が少ないようにすることにある。
【課題を解決するための手段】
【０００９】
上記目的を達成するために、本発明の請求項１に記載の緊急地震速報対応型集合住宅管理システムでは、集合住宅の管理室などに設置される警報監視盤と、集合住宅の各住戸に設置される住宅情報端末と、を備えて構成された、緊急地震速報対応型集合住宅管理システムであって、前記警報監視盤は、通信ネットワークを通じて送信されてくる緊急地震速報に基づいた地震検知信号を受信したときには、地震警報指令信号を前記各住戸の住宅情報端末に送信する地震警報指令信号送信手段を備えており、前記各住戸の住宅情報端末は、所定の地震メッセージを記憶した記憶手段と、前記警報監視盤から前記地震警報指令信号を受信したときには、前記所定の地震メッセージを読み出して報知する報知手段とを備えていることを特徴とする。
【００１０】
請求項２に記載の緊急地震速報対応型集合住宅管理システムでは、前記住宅情報端末は、複数種類の地震メッセージを前記記憶手段に記憶させており、前記報知手段から出力すべき地震メッセージの種類を選択する選択手段を備えていることを特徴とする。
【００１１】
請求項３に記載の緊急地震速報対応型集合住宅管理システムでは、前記住宅情報端末は、所定の地震警報画像を前記記憶手段に記憶させており、前記警報監視盤から前記地震警報指令信号を受信したときには、前記所定の地震警報画像を読み出して表示させる表示手段を更に備えていることを特徴とする。
【００１２】
請求項４に記載の緊急地震速報対応型集合住宅管理システムでは、前記各住戸の住宅情報端末は、副住宅情報端末とドアホン子器とに接続されており、前記警報監視盤から前記地震警報指令信号を受信したときには、前記副住宅情報端末と前記ドアホン子器の少なくとも一方との通話回路を形成して、前記所定の地震メッセージを送信して、報知させるようにしていることを特徴とする。
【００１３】
請求項５に記載の緊急地震速報対応型集合住宅管理システムでは、前記副住宅情報端末は、所定の地震メッセージを記憶した記憶手段を備えており、前記住宅情報端末から前記地震警報指令信号を受信したときには、前記記憶手段に記憶した地震メッセージを報知させるようにしていることを特徴とする。
【００１４】
請求項６に記載の緊急地震速報対応型集合住宅管理システムでは、前記警報監視盤は、前記地震警報指令信号を自発的に送信するための地震警報試験スイッチを備えており、前記地震警報指令信号送信手段は、前記地震警報試験スイッチが操作されたときには、前記地震警報指令信号を送信することを特徴とする。
【発明の効果】
【００１５】
本発明の請求項１によれば、警報監視盤は、通信ネットワークを通じて送信されてくる緊急地震速報に基づいた地震検知信号を受信したときには、地震警報指令信号を各住戸の住宅情報端末に送信する地震警報指令信号送信手段を備えており、各住戸の住宅情報端末は、所定の地震メッセージを記憶した記憶手段と、警報監視盤から地震警報指令信号を受信したときには、所定の地震メッセージを読み出して報知する報知手段とを備えているので、警報監視盤が通信ネットワークを通じて送信されてきた緊急地震速報に基づいた地震検知信号を受信して、各住戸の住宅情報端末に地震警報指令信号を送信することによって、各住戸の住宅情報端末に記憶した地震メッセージを報知させることができるので、地震報知の精度を向上させ誤報の可能性を少なくでき、地震メッセージの選択度を向上させ、初期微動を検知して地震メッセージを報知中に主要動が生じ、通話線が断線しても、地震メッセージを報知させ続けることができる。
【００１６】
請求項２によれば、住宅情報端末は、複数種類の地震メッセージを記憶手段に記憶させており、報知手段から出力すべき地震メッセージの種類を選択する選択手段を備えているので、日本語の地震メッセージの他に、数ヶ国語の地震メッセージを記憶させておけば、外国人の住人に対する地震メッセージの報知を確実にできる。
【００１７】
請求項３によれば、住宅情報端末は、所定の地震警報画像を前記記憶手段に記憶させており、警報監視盤から地震警報指令信号を受信したときには、所定の地震警報画像を読み出して表示させる表示手段を更に備えているので、住宅情報端末は、警報監視盤から地震警報指令信号を受信して、所定の地震警報画像をも表示させることができるので、地震メッセージのイントロ部分を聞き逃した住人が、地震警報が報知されていることを即座に理解でき、住人に地震対処のための時間を与えることができる。
【００１８】
請求項４によれば、各住戸の住宅情報端末は、副住宅情報端末とドアホン子器とに接続されており、警報監視盤から地震警報指令信号を受信したときには、副住宅情報端末とドアホン子器の少なくとも一方との通話回路を形成して、所定の地震メッセージを送信して、報知させるようにしているので、住宅情報端末の近傍にいない住人に対しても、的確に地震メッセージを確認させることができる。
【００１９】
請求項５によれば、副住宅情報端末は、所定の地震メッセージを記憶した記憶手段を備えており、住宅情報端末から地震警報指令信号を受信したときには、記憶手段に記憶した地震メッセージを報知させるようにしているので、請求項５と同様に、住宅情報端末の近傍にいない住人に対しても、的確に地震メッセージを確認させることができる。
【００２０】
請求項６に記載の緊急地震速報対応型集合住宅管理システムでは、警報監視盤は、地震警報指令信号を自発的に送信するための地震警報試験スイッチを備えており、地震警報指令信号送信手段は、地震警報試験スイッチが操作されたときには、地震警報指令信号を送信するので、地震警報試験スイッチを操作することにより、住宅情報端末、副住宅情報端末、ドアホン子器のいずれかにおいて、地震メッセージを報知させることができ、地震訓練に有益にできる。
【発明を実施するための最良の形態】
【００２１】
図１は、本発明の緊急地震速報対応型集合住宅管理システムの概略構成を説明するシステム系統図である。
【００２２】
この緊急地震速報対応型集合住宅管理システムは、警報監視盤１と、住宅情報端末２と、副住宅情報端末３とを信号線Ｌ１、通話線Ｌ２等によって相互に接続した基本構成であり、従来の集合住宅管理システムと同様の基本機能を有する。
【００２３】
すなわち、警報監視盤１、住宅情報端末２と、副住宅情報端末３とは、それぞれ通話手段（図示しない）を有し、相互通話が可能である。更に、住宅情報端末２には、ドアホン子器４が接続されており、住宅情報端末２とドアホン子器４との間の相互通話も可能である。
【００２４】
また、住宅情報端末２は、住宅内の各所に配設した例えば火災センサ、ガス漏れセンサ等のセキュリティセンサを有しており、それらが異常を検出したときには、警報監視盤１に通知する。警報監視盤１は、その通知を受けると、当該住宅やその周囲の住宅に設置されている住宅情報端末２から警報を出力させたり、図示しないセンター装置に火災、ガス漏れ事故の発生を通知したりする。
【００２５】
なお、本実施例では、警報監視盤１は、住宅情報端末２との通話回線の形成を行う通話制御装置を内蔵した構成としているが、この例には限られず、通話制御装置と管理室用情報端末とを別体で構成しても、本発明の作用効果を奏することができる。
【００２６】
更に、緊急地震速報対応型集合住宅管理システムは、次の点を特徴としている。すなわち、警報監視盤１には、集合住宅が存在している地域、あるいは地方を管轄する地震情報配信サーバ６から、緊急地震速報を受け付けて分析する地震情報受信端末５が接続されている。なお、地震情報受信端末５は、警報監視盤１と独立した構成でも、一体とされた構成でもよい。
【００２７】
地震情報受信端末５は、例えばＩＰＶ６プロトコルで通信するネットワークＮを介して地震情報配信サーバ６と接続されている。この地震情報配信サーバ６は、複数の地震センサ７によって、地域あるいは地方の地震発生を継続して監視し、地震が発生したときには、初期微動（Ｐ波検出）の段階で、即座に、震源位置、予想マグニチュード、震源深さ等の緊急地震速報を地震情報受信端末５に配信する。地震情報受信端末５は、その緊急地震速報を受信すると分析し、その結果、集合住宅の所在地で所定以上の震度を予想したときには、例えば接点信号やデジタル信号として地震検知信号（Ｐ波検知信号）を出力する。
【００２８】
警報監視盤１は、地震情報受信端末５が出力した地震検知信号を受信すると、信号線Ｌ１を通じて各住戸の住宅情報端末２に対して、地震警報指令信号を例えばデジタル信号として送信する地震警報指令信号送信手段１Ａを備えている。
【００２９】
また、住宅情報端末２は、複数種類の地震メッセージと、所定の地震警報画像とを記憶した記憶手段２Ａと、警報監視盤１から地震警報指令信号を受信したときには、地震警報として所定の地震メッセージを読み出して報知する報知手段２Ｂと、報知手段２Ｂから出力すべき地震メッセージの種類を選択する選択手段２Ｃと、警報監視盤１から地震警報指令信号を受信したときには、地震警報として所定の地震警報画像を読み出して表示させる表示手段２Ｄとを備えている。
【００３０】
ここで、報知手段２Ｂの機能について詳述する。報知手段２Ｂは、警報監視盤１から地震検知信号を受信したときには、自らスピーカＳＰ２より、選択手段２Ｃにより予め選択設定されている地震メッセージを出力させるとともに、副住宅情報端末３や、ドアホン子器４に対して通話回線接続信号を、例えばデジタル信号として送信して、これらの各々との間で通話回路を形成して、選択手段２Ｃにより予め選択設定されている地震メッセージを送信して報知させる機能をも有する。また、副住宅情報端末３に対して地震警報指令信号を例えばデジタル信号として送信して、副住宅情報端末３に記憶された地震メッセージを報知させ、また、副住宅情報端末３に記憶された地震警報画像を表示させる機能をも有する。
【００３１】
更に、副住宅情報端末３は、所定の地震メッセージと、所定の地震警報画像とを記憶した記憶手段３Ａと、地震警報として所定の地震メッセージを報知させる報知手段３Ｂと、住宅情報端末２から地震警報指令信号を受信したときに、地震警報として所定の地震警報画像を記憶手段３Ａから読み出して表示させる表示手段３Ｃとを備えている。
【００３２】
報知手段３Ｂは、以下の２通りの処理をなすようにしている。一方の処理は、住宅情報端末２から通話回線接続信号を受信して、その住宅情報端末２との通話回線を形成し、その後、送信されてくる地震メッセージを受け付けて報知する処理、他方の処理は、住宅情報端末２から地震警報指令信号を受信して、記憶手段３Ａに記憶された地震メッセージを読み出して報知する処理である。
【００３３】
なお、副住宅情報端末３は、住宅情報端末２から地震警報指令信号を受信して、記憶手段３Ａに記憶された地震メッセージを読み出して報知する態様にされている場合には、住宅情報端末２と同様に、複数種類の地震メッセージのうち、住宅情報端末２から地震警報指令信号を受信したときに報知すべき地震メッセージを予め選択設定する選択手段を備えていてもよい。
【００３４】
更に、各住戸のドアホン子器４は、住宅情報端末２から通話回線接続信号を受信して、住宅情報端末２との間で通話線Ｌ２を通じた通話回線を形成する機能を具備する。
【００３５】
図３は、本発明の緊急地震速報対応型集合住宅管理システムの基本動作の一例を示すタイムチャートである。
【００３６】
地震情報配信サーバ６は、地震センサ７からの地震検知信号を受けて、震源位置、予想マグニチュード、震源深さなどを含む緊急地震速報を、通信ネットワークＮによる通信（ＩＰＶ６プロトコルに従ったインターネット通信）により随時配信するようにしている。
【００３７】
地震情報受信端末５は、地震情報配信サーバ６から受信した緊急地震速報を、所定のアルゴリズムに従って分析して、地震情報受信端末５の設置された場所（＝集合住宅の所在地）の予想震度を推定し、所定以上の震度が推定される場合には、警報監視盤１に地震検知信号を、例えば接点入力あるいはデジタル信号として送信する。
【００３８】
警報監視盤１では、地震警報指令信号送信手段１Ａが、地震検知信号を受信したときには、各住戸の住宅情報端末２に地震警報指令信号を、例えばデジタル信号として送信するので、住宅情報盤２では、報知手段２Ｂが、記憶手段２Ａから地震メッセージを読み出してスピーカＳＰ２（図２参照）によって報知し、表示手段２Ｄが、記憶手段２Ａから地震警報画像を読み出して表示する。
【００３９】
住宅情報端末２の報知手段２Ｂは、更に、副住宅情報盤３とドアホン子器４とに対して通話回線接続信号を、例えばデジタル信号として送信して、通話線Ｌ２を通じた通話回線を形成して地震メッセージを送信し、スピーカＳＰ３，ＳＰ４によって報知させる。
【００４０】
図４は、本発明の緊急地震速報対応型集合住宅管理システムの基本動作の他例を示すタイムチャートである。図３のタイムチャートと異なる点は、住宅情報端末２が、副住宅情報端末３やドアホン子器４と連携して行う動作である。
【００４１】
すなわち、住宅情報端末２の報知手段２Ｂは、警報監視盤１から地震警報指令信号を受信したときには、副住宅情報盤３との通話回線を形成するのではなく、副住宅情報盤３に地震警報指令信号を例えばデジタル信号として送信して、副住宅情報盤３に記憶された地震メッセージをスピーカＳＰ３により報知させるとともに、副住宅情報盤３に記憶された地震警報画像を表示させる。
【００４２】
図５は、本発明の緊急地震速報対応型集合住宅管理システムの基本動作の更に他例を示すタイムチャートである。本発明では地震警報試験スイッチ１８（図２参照）を操作することにより地震訓練を行えるようになっている。
【００４３】
すなわち、警報監視盤１に設けた地震警報試験スイッチ１８を操作したときには、警報監視盤１は、地震警報指令信号送信手段１Ａによって、各住戸の住宅情報端末２に地震警報指令信号を送信する。その後の本発明の処理は、図３のタイムチャートに示す処理と同じである。
【００４４】
以下、構成要素のそれぞれの回路構成を順に説明する。図２は、本発明の緊急地震速報対応型集合住宅管理システムの内部構成の一例を示すブロック図である。
【００４５】
警報監視盤１は、この警報監視盤１を制御するホストＣＰＵ１０と、信号線Ｌ１によって住宅情報端末２との間で信号（例えばデジタル信号）の送受を行う信号送受信部１１と、制御プログラムなどを格納したフラッシュメモリ１２と、設定データなどを記憶するＳ−ＲＡＭ１３と、地震情報受信端末５と接点信号、デジタル信号等によって通信する伝送部１４と、ハンドセットＨやスピーカＳＰ１を有し、通話線Ｌ２を通じて音声信号を送受信するインターホン回路部１５と、液晶パネル等で構成された表示回路部１６と、複数の操作釦等で構成され、地震警報試験スイッチ１８を有したキー入力部１７とを備えている。この警報監視盤１では、地震警報指令信号送信手段１Ａは、ホストＣＰＵ１０、信号送受信部１１、伝送部１４で構成されている。
【００４６】
住宅情報端末２は、この住宅情報端末２を制御するＣＰＵ２０と、信号線Ｌ１によって警報監視盤１と信号（例えばデジタル信号）の送受を行う信号送受信部２１と、液晶パネル等で構成された表示回路部２２と、複数の操作釦等で構成されたキー入力部２３と、マイクＭＩＣとスピーカＳＰ２等を有し、通話線Ｌ２を通じて音声信号を送受信するインターホン回路部２４と、固有のアドレスを設定するディップスイッチ２５と、設定データ等を記憶するＥＥＰＲＯＭ２６と、図示しないセンター装置に火災、ガス漏れ事故、地震の発生を通知する移報出力部２７とを備えている。この住宅情報端末２では、記憶手段２ＡはＥＥＰＲＯＭ２６で構成され、報知手段はＣＰＵ２０、インターホン回路部２４で構成され、選択手段２ＣはＣＰＵ２０、キー入力部２３で構成され、表示手段２ＤはＣＰＵ２０、表示回路部２２で構成されている。
【００４７】
副住宅情報端末３は、この副住宅情報端末３を制御するＣＰＵ３０と、信号線Ｌ１によって住宅情報盤２と信号（例えばデジタル信号）の送受を行う信号送受信部３１と、液晶パネル等で構成された表示回路部３２と、複数の操作釦等で構成されたキー入力部３３と、マイクＭＩＣとスピーカＳＰ３等を有し、通話線Ｌ２を通じて音声信号を送受信するインターホン回路部３４と、固有のアドレスを設定するディップスイッチ３５と、設定データ等を記憶するＥＥＰＲＯＭ３６と、図示しないセンター装置に火災、ガス漏れ事故、地震の発生を通知する移報出力部３７とを備えている。この副住宅情報端末３では、記憶手段３ＡはＥＥＰＲＯＭ３６で構成され、報知手段はＣＰＵ３０、インターホン回路部３４で構成され、表示手段３ＣはＣＰＵ３０、表示回路部３２で構成されている。
【００４８】
ドアホン子器４は、マイクＭＩＣとスピーカＳＰ４とを有しており、信号線Ｌ１、通話線Ｌ２を通じた信号（例えばデジタル信号）の送受を行い、住宅情報端末２を呼び出したり、住宅情報端末２との間で通話回線を形成して通話を行うための伝送部４０と、呼出釦などを有する操作部４１とを備えている。
【００４９】
地震情報受信端末５は、地震情報配信サーバ６とＩＰＶ６等のプロトコルで通信する伝送部５１Ａ，５１Ｂと、緊急地震速報を受信すると、所定のアルゴリズムに従って分析し、所定以上の震度が予想される場合には、地震検知信号を例えばデジタル信号で出力するＣＰＵ５０と、制御プログラムなどを格納した記憶部５２とを備えている。
【００５０】
なお、本発明では、地震報知の態様として、スピーカからの地震メッセージの出力を例示しているが、この例には限られず、文字メッセージとして、信号線Ｌ１を通じて送信して表示させるようにしてもよい。
【図面の簡単な説明】
【００５１】
【図１】本発明の緊急地震速報対応型集合住宅管理システムの概略構成を説明するシステム系統図
【図２】本発明の緊急地震速報対応型集合住宅管理システムの内部構成の一例を示すブロック図
【図３】本発明の緊急地震速報対応型集合住宅管理システムの基本動作の一例を示すタイムチャート
【図４】本発明の緊急地震速報対応型集合住宅管理システムの基本動作の他例を示すタイムチャート
【図５】本発明の緊急地震速報対応型集合住宅管理システムの基本動作の更に他例を示すタイムチャート
【符号の説明】
【００５２】
１  警報監視盤
１０  ＣＰＵ
１１  信号送受信部
１４  伝送部
１８  地震警報試験スイッチ
２  住宅情報端末
２０  ＣＰＵ
２１  信号送受信部
２２  表示回路部
２３  キー入力部
２４  インターホン回路部
２６  ＥＥＰＲＯＭ
３  副住宅情報端末
３０  ＣＰＵ
３２  表示回路部
３４  インターホン回路部
３６  ＥＥＰＲＯＭ
４  ドアホン子器
Ｎ  通信ネットワーク
【図１】
2008217435.tif 000003
【図２】
2008217435.tif 000004
【図３】
2008217435.tif 000005
【図４】
2008217435.tif 000006
【図５】
2008217435.tif 000007